(57)【要約】【課題】遊技釘の圧入による合成樹脂製の遊技板の外縁の膨出を防止し、精度良く遊技盤を内枠に取り付けることができるパチンコ遊技機を提供する。【解決手段】合成樹脂製の遊技板１０に多数の下穴１０ａを形成し、各下穴１０ａに遊技釘９９を遊技板の表面側から圧入した遊技盤を、外枠の前方に取り付けられた内枠内に嵌め込んで取り付けたパチンコ遊技機において、遊技板１０の端部から離間した位置に変形防止溝１０ｃを形成し、遊技板１０の裏面の端部に、変形防止凹部１０ｄを形成し、遊技釘９９の下穴１０ａへの圧入による遊技板１０の変形を変形防止溝１０ｃ及び変形防止凹部１０ｄで吸収させる。【選択図】図１
2010268897.tif 000002
【特許請求の範囲】
【請求項１】
合成樹脂製の遊技板に多数の下穴を形成し、前記各下穴に遊技釘を遊技板の表面側から圧入した遊技盤を、外枠の前方に取り付けられた内枠内に嵌め込んで取り付けたパチンコ遊技機において、
遊技板の端部に、合成樹脂が充填されていない空間である変形防止部を形成したことを特徴とするパチンコ遊技機。
【請求項２】
変形防止部は、前記遊技板の端面から離間した位置に凹陥形成された変形防止溝であることを特徴とする請求項１に記載のパチンコ遊技機。
【請求項３】
変形防止溝は、遊技板の表面側に形成されていることを特徴とする請求項２に記載のパイプ遊技機。
【請求項４】
遊技板の裏面の端部に、変形防止凹部を切欠形成したことを特徴とする請求項３に記載のパチンコ遊技機。
【請求項５】
遊技板の板面方向に関し変形防止溝が形成されている位置の遊技板の裏面に、補強部を突出形成したことを特徴とする請求項３又は請求項４に記載のパチンコ遊技機。
【請求項６】
変形防止部は、遊技板の端面に切欠形成された変形防止切欠部であることを特徴とする請求項１に記載のパチンコ遊技機。
【請求項７】
変形防止切欠部は、遊技板の表面側に形成されていることを特徴とする請求項６に記載のパチンコ遊技機。
【請求項８】
遊技板の端面をテーパー状に切欠させて変形防止切欠部を形成したことを特徴とする請求項６に記載のパチンコ遊技機。
【請求項９】
変形防止切欠部は、遊技板の表面側に開放するように形成されていることを特徴とする請求項８に記載のパチンコ遊技機。
【請求項１０】
変形防止切欠部は、遊技板の表面側に開放する第１の変形防止切欠部と、遊技板の裏面側に開放する第２の変形防止切欠部とから構成されていることを特徴とする請求項８に記載のパチンコ遊技機。
【請求項１１】
第１の変形防止切欠部の遊技板端面からの傾斜角度を、第２の変形防止切欠部の遊技板端面からの傾斜角度よりも大きく設定し、第１の変形防止切欠部を第２の変形切欠部よりも大きく開放させたことを特徴とする請求項１０に記載のパチンコ遊技機。
【請求項１２】
第１の変形防止切欠部を、遊技板の表面と裏面の中間よりも裏面側から切欠形成し、第１の変形防止切欠部を第２の変形切欠部よりも大きく開放させたことを特徴とする請求項１０又は請求項１１に記載のパチンコ遊技機。
【発明の詳細な説明】
【技術分野】
【０００１】
本発明は、合成樹脂製の遊技板の改良に関する。
【背景技術】
【０００２】
従来から特許文献１に示されるように、合成樹脂製の遊技板１０（図９の（Ａ）に示す）に多数の遊技釘９９を打ち付けた遊技盤１００（図９の（Ｂ）に示す）を有するパチンコ遊技機が知られている。合成樹脂製の遊技板１０に遊技釘を打ち付けるには、遊技板１０に多数の下穴を形成し、各下穴に遊技釘９９を遊技板１０の表面側から圧入することにより行われている。例えば、下穴の内径は１．８〜１．９ｍｍであり、遊技釘９９の外径は２．０ｍｍである。このように、遊技釘９９の外径よりも小さい内径の下穴に遊技釘９９を圧入することにより、遊技釘９９の下穴からの脱落を防止している
【０００３】
パチンコ遊技機５００は、図１０に示されるように、遊技島等の設置場所に取り付けられる外枠２００を有していて、この外枠２００の前方には、内枠３００及び前面枠４００が、外枠２００の側端に設けられたヒンジ部２００ａに開閉自在に取り付けられている。内枠３００内には、遊技盤１００が嵌め込まれて取り付けられるようになっている。前面枠４００はガラス板４０１を保持していて、ガラス板４０１を通して、遊技盤１００が遊技者に視認されるようになっている。このようにパチンコ遊技機５００を構成することにより、前面枠４００や内枠３００を開放させて、パチンコ遊技機５００のメンテナンス作業を容易に行うことができるようになっている。
【先行技術文献】
【特許文献】
【０００４】
【特許文献１】特開平５−２９３２１５号公報
【発明の概要】
【発明が解決しようとする課題】
【０００５】
前述したように、多数の下穴に遊技釘９９が圧入されているので、圧入分だけ遊技板１０が変形し、遊技板１０の外縁が膨出してしまう。このため、遊技板１０と内枠３００とのクリアランスが大きくない場合には、内枠３００内に遊技盤１００を嵌め込んで取り付けることができない一方で、遊技板１０と内枠３００とのクリアランスを大きく設定した場合には、遊技釘９９の圧入による遊技板１０の変形が不均一であることから、内枠３００内での遊技盤１００の取付位置が定まらず、遊技板１００が内枠３００内でぐらついて、パチンコ遊技機５００の品質が低下してしまう。本発明は、上記問題を解決し、遊技釘の圧入による合成樹脂製の遊技板の外縁の膨出を防止し、精度良く遊技盤を内枠に取り付けることができるパチンコ遊技機を提供することを目的とする。
【課題を解決するための手段】
【０００６】
上記課題を解決するためになされた請求項１に記載の発明は、
合成樹脂製の遊技板に多数の下穴を形成し、前記各下穴に遊技釘を遊技板の表面側から圧入した遊技盤を、外枠の前方に取り付けられた内枠内に嵌め込んで取り付けたパチンコ遊技機において、
遊技板の端部に、合成樹脂が充填されていない空間である変形防止部を形成したことを特徴とする。
【０００７】
請求項２に記載の発明は、請求項１に記載の発明において、変形防止部は、前記遊技板の端面から離間した位置に凹陥形成された変形防止溝であることを特徴とする。
【０００８】
請求項３に記載の発明は、請求項２に記載の発明において、変形防止溝は、遊技板の表面側に形成されていることを特徴とする。
【０００９】
請求項４に記載の発明は、請求項３に記載の発明において、遊技板の裏面の端部に、変形防止凹部を切欠形成したことを特徴とする。
【００１０】
請求項５に記載の発明は、請求項３又は請求項４に記載の発明において、遊技板の板面方向に関し変形防止溝が形成されている位置の遊技板の裏面に、補強部を突出形成したことを特徴とする。
【００１１】
請求項６に記載の発明は、請求項１に記載の発明において、変形防止部は、遊技板の端面に切欠形成された変形防止切欠部であることを特徴とする。
【００１２】
請求項７に記載の発明は、請求項６に記載の発明において、変形防止切欠部は、遊技板の表面側に形成されていることを特徴とする。
【００１３】
請求項８に記載の発明は、請求項６に記載の発明において、遊技板の端面をテーパー状に切欠させて変形防止切欠部を形成したことを特徴とする。
【００１４】
請求項９に記載の発明は、請求項８に記載の発明において、変形防止切欠部は、遊技板の表面側に開放するように形成されていることを特徴とする。
【００１５】
請求項１０に記載の発明は、請求項８に記載の発明において、変形防止切欠部は、遊技板の表面側に開放する第１の変形防止切欠部と、遊技板の裏面側に開放する第２の変形防止切欠部とから構成されていることを特徴とする。
【００１６】
請求項１１に記載の発明は、請求項１０に記載の発明において、第１の変形防止切欠部の遊技板端面からの傾斜角度を、第２の変形防止切欠部の遊技板端面からの傾斜角度よりも大きく設定し、第１の変形防止切欠部を第２の変形切欠部よりも大きく開放させたことを特徴とする。
【００１７】
請求項１２に記載の発明は、請求項１０又は請求項１１に記載の発明において、第１の変形防止切欠部を、遊技板の表面と裏面の中間よりも裏面側から切欠形成し、第１の変形防止切欠部を第２の変形切欠部よりも大きく開放させたことを特徴とする。
【発明の効果】
【００１８】
請求項１に記載の発明は、遊技板の端部に、合成樹脂が充填されていない空間である変形防止部を形成したことを特徴とする。
このため、下穴への遊技釘の圧入による遊技板の変形を、空間である変形防止部で吸収させて、遊技板の外縁の膨出を防止することが可能となり、精度良く遊技盤を内枠に取り付けることが可能となる。
【００１９】
請求項２に記載の発明は、請求項１に記載の発明において、変形防止部は、前記遊技板の端面から離間した位置に凹陥形成された変形防止溝であることを特徴とする。
このため、下穴への遊技釘の圧入による遊技板の変形を、空間である変形防止部で吸収させて、遊技板の外縁の膨出を防止することが可能となり、精度良く遊技盤を内枠に取り付けることが可能となる。
【００２０】
請求項３に記載の発明は、請求項２に記載の発明において、変形防止溝は、遊技板の表面側に形成されていることを特徴とする。
このため、遊技釘の先端が遊技板の裏面側に達していない場合に、変形量が大きい遊技板の表面側の変形を、遊技板の表面に形成された変形防止溝で吸収させることが可能となる。
【００２１】
請求項４に記載の発明は、請求項３に記載の発明において、遊技板の裏面の端部に、変形防止凹部を切欠形成したことを特徴とする。
このため、下穴への遊技釘の圧入による遊技板の裏面側の変形を、空間である変形防止凹部で吸収させることが可能となる。
【００２２】
請求項５に記載の発明は、請求項３又は請求項４に記載の発明において、遊技板の板面方向に関し変形防止溝が形成されている位置の遊技板の裏面に、補強部を突出形成したことを特徴とする。
このため、遊技板の変形防止溝が形成されている位置の強度が上がり、当該位置の破損を防止することが可能となる。
【００２３】
請求項６に記載の発明は、請求項１に記載の発明において、変形防止部は、遊技板の端面に切欠形成された変形防止切欠部であることを特徴とする。
このため、下穴への遊技釘の圧入による遊技板の変形を、空間である変形防止切欠部で吸収させて、遊技板の外縁の膨出を防止することが可能となり、精度良く遊技盤を内枠に取り付けることが可能となる。
【００２４】
請求項７に記載の発明は、請求項６に記載の発明において、変形防止切欠部は、遊技板の表面側に形成されていることを特徴とする。
このため、遊技釘の先端が遊技板の裏面側に達していない場合に、変形量が大きい遊技板の表面側の変形を、遊技板の表面に形成された変形防止切欠部で吸収させることが可能となる。
【００２５】
請求項８に記載の発明は、請求項６に記載の発明において、遊技板の端面をテーパー状に切欠させて変形防止切欠部を形成したことを特徴とする。
このため、下穴への遊技釘の圧入による遊技板の変形を、空間である変形防止切欠部で吸収させることが可能となる。
【００２６】
請求項９に記載の発明は、請求項８に記載の発明において、変形防止切欠部は、遊技板の表面側に開放するように形成されていることを特徴とする。
このため、遊技釘の先端が遊技板の裏面側に達していない場合に、変形量が大きい遊技板の表面側の変形を、遊技板の表面に形成された変形防止切欠部で吸収させることが可能となる。
【００２７】
請求項１０に記載の発明は、請求項８に記載の発明において、変形防止切欠部は、遊技板の表面側に開放する第１の変形防止切欠部と、遊技板の裏面側に開放する第２の変形防止切欠部とから構成されていることを特徴とする。
このため、下穴への遊技釘の圧入による遊技板の変形を、空間である第１の変形防止切欠部及び第２の変形防止切欠部で吸収させることが可能となる。
【００２８】
請求項１１に記載の発明は、請求項１０に記載の発明において、第１の変形防止切欠部の遊技板端面からの傾斜角度を、第２の変形防止切欠部の遊技板端面からの傾斜角度よりも大きく設定し、第１の変形防止切欠部を第２の変形切欠部よりも大きく開放させたことを特徴とする。
このため、遊技釘の先端が遊技板の裏面側に達していない場合に、変形量が大きい遊技板の表面側の変形を、第２の変形切欠部よりも大きく開放させた第１の変形防止切欠部で吸収させることが可能となる。
【００２９】
請求項１２に記載の発明は、請求項１０又は請求項１１に記載の発明において、第１の変形防止切欠部を、遊技板の表面と裏面の中間よりも裏面側から切欠形成し、第１の変形防止切欠部を第２の変形切欠部よりも大きく開放させたことを特徴とする。
このため、遊技釘の先端が遊技板の裏面側に達していない場合に、変形量が大きい遊技板の表面側の変形を、第２の変形切欠部よりも大きく開放させた第１の変形防止切欠部で吸収させることが可能となる。
【図面の簡単な説明】
【００３０】
【図１】第１の実施形態の遊技板の端部断面図である。
【図２】第２の実施形態の遊技板の端部断面図である。
【図３】第３の実施形態の遊技板の端部断面図である。
【図４】第４の実施形態の遊技板の端部断面図である。
【図５】第４の実施形態の遊技板の端部断面図である。
【図６】第５の実施形態の遊技板の端部断面図である。
【図７】第５の実施形態の遊技板の端部断面図である。
【図８】第５の実施形態の遊技板の端部断面図である。
【図９】遊技盤の説明図である。
【図１０】パチンコ遊技機の前面枠を開放した状態の斜視図である。
【発明を実施するための形態】
【００３１】
（第１の実施形態）
以下に図面を参照しつつ、本発明の好ましい実施の形態（第１の実施形態）を示す。図１に示されるように、遊技板１０の端面である当接部１０ｂから離間した近傍位置の、遊技板１０の表面に、変形防止溝１０ｃを凹陥形成している。下穴１０ａへの遊技釘９９の圧入による遊技板１０の変形を、合成樹脂が充填されていない空間である変形防止溝１０ｃで吸収させることにより、内枠３００内へ嵌め込む際の寸法基準面である当接部１０ｂが外側へ膨出することを防止している。図１に示されるように、変形防止溝１０ｃを遊技板１０の表面側から形成しているのは、遊技釘９９の先端が遊技板１０の裏面側に達していない場合には、遊技板１０の表面側の方が裏面側よりも、遊技釘９９の下穴１０ａへの圧入による遊技板１０の変形量が大きいからである。
【００３２】
図１に示されるように、遊技板１０の裏面の端部には（言い換えると、遊技板１０の端面の裏面との交線には）、変形防止凹部１０ｄを切欠形成している。合成樹脂が充填されていない空間である変形防止凹部１０ｄによって、遊技釘９９の下穴１０ａへの圧入による遊技板１０の裏面側の変形が吸収されるようになっている。下穴１０ａへの遊技釘９９の圧入による遊技板１０の裏面側の変形を確実に吸収させるために、遊技板１０の厚さ方向に関し、変形防止凹部１０ｄを変形吸収溝１０ｃの底部と同じ位置もしくは変形吸収溝１０ｃの底部よりも遊技板１０の表面側にまで形成することが好ましい。応力集中による疲労破壊を防止するために、図１に示されるように、変形吸収溝１０ｃ及び変形防止凹部１０ｄの角部には、適度な曲率でＲを形成し、シャープコーナを回避することが好ましい。
【００３３】
（第２の実施形態）
図２を用いて第１の実施形態と異なる点について第２の実施形態を説明する。第２の実施形態は、板面方向に関して変形防止溝１０ｃが形成されている位置の遊技板１０の裏面に、補強部１０ｅを突出形成した実施形態である。図１に示されるように、変形防止溝１０ｃが形成されている位置の板厚は薄くなっている。第２の実施形態では、補強部１０ｅを形成することにより、変形防止溝１０ｃが形成されている位置の強度を上げて、当該位置の破損を防止している。なお、応力集中による遊技板１０の疲労破壊を防止するために、強部１０ｅの角部には、適度な曲率でＲを形成し、シャープコーナを回避することが好ましい。なお、遊技板１０に補強部１０ｅを形成しなくても、変形防止溝１０ｃが形成されている部分の強度が確保できる場合には、補強部１０ｅを形成する必要はない。
【００３４】
（第３の実施形態）
図３を用いて第３の実施形態を説明する。第３の実施形態は、遊技板１０の端面の一部を切欠させて、変形防止切欠部１０ｇを形成した実施形態である。遊技板１０の端面の変形防止切欠部１０ｇが形成されていない部分は、内枠３００の内側と当接する当接部１０ｆとなっている。遊技釘９９の下穴１０ａへの圧入による遊技板１０の変形を、合成樹脂が充填されていない空間である変形防止切欠部１０ｇで吸収させることにより、内枠３００内へ嵌め込む際の寸法基準面である当接部１０ｆが外側に膨出することを防止している。図３に示されるように、変形防止切欠部１０ｇを遊技板１０の表面側に開放するように形成しているのは、遊技釘９９の先端が遊技板１０の裏面側に達していない場合には、遊技板１０の表面側の方が裏面側よりも、遊技釘９９の下穴１０ａへの圧入による遊技板１０の変形量が大きいからである。
【００３５】
（第４の実施形態）
図４及び図５を用いて第４の実施形態について説明する。第４の実施形態は、図４や図５に示されるように、遊技板１０の端面を、当該端面から傾斜した面で切欠させて（つまりテーパー状に切欠させて）変形防止切欠部１０ｉを形成した実施形態である。変形防止切欠部１０ｉは、遊技板１０の表面側に開放するように形成されている。図５に示されるように、遊技板１０の端面と裏面の交線まで切欠させて変形防止切欠部１０ｉを形成しても、或いは、図４に示されるように、遊技板１０の厚さ方向途中位置にまで切欠させて変形防止切欠部１０ｉを形成しても差し支えない。遊技釘９９の下穴１０ａへの圧入による遊技板１０の変形を、合成樹脂が充填されていない空間である変形防止切欠部１０ｉで吸収させることにより、内枠３００内へ嵌め込む際の寸法基準面である当接部１０ｈが外側へ膨出することを防止している。前記したように、変形防止切欠部１０ｉを、遊技板１０の表面側に開放するように形成したのは、遊技釘９９の先端が遊技板１０の裏面側に達していない場合には、遊技板１０の表面側の方が裏面側よりも、遊技釘９９の下穴１０ａへの圧入による遊技板１０の変形量が大きいからである。
【００３６】
（第５の実施形態）
図６〜図８を用いて第５の実施形態について説明する。第５の実施形態は、図６〜図８に示されるように、遊技板１０の端面をテーパー状に切欠させて、遊技板１０の表面側に開放する第１の変形防止切欠部１０ｋと、遊技板１０の裏面側に開放する第２の変形防止切欠部１０ｍを形成した実施形態である。遊技板１０の端面の第１の変形防止切欠部１０ｋと第２の変形防止切欠部１０ｍが形成されていない部分は、内枠３００内と当接する当接部１０ｊとなっている。図６や図８に示されるように、第１の変形防止切欠部１０ｋと第２の変形防止切欠部１０ｍを交差させ、当該交差している部分を当接部１０ｊとしても、図７に示されるように、第１の変形防止切欠部１０ｋと第２の変形防止切欠部１０ｍを交差させず、当接部１０ｊを平面に形成しても差し支えない。遊技釘９９の下穴１０ａへの圧入による遊技板１０の変形を、合成樹脂が充填されていない空間である第１の変形防止切欠部１０ｋ及び第２の変形防止切欠部１０ｍで吸収させることにより、内枠３００内へ嵌め込む際の寸法基準面である当接部１０ｊが外側へ膨出することを防止している。
【００３７】
遊技釘９９の先端が遊技板１０の裏面側に達していない場合には、遊技板１０の表面側の方が裏面側よりも、遊技釘９９の下穴１０ａへの圧入による遊技板１０の変形量が大きいので、図６や図７に示されるように、第１の変形防止切欠部１０ｋの遊技板１０端面からの傾斜角度ａを、第２の変形防止切欠部１０ｍの遊技板１０端面からの傾斜角度ｂよりも大きく設定し、第１の変形防止切欠部１０ｋを第２の変形切欠部１０ｍよりも大きく開放させることが好ましい。或いは、図８に示されるように、第１の変形防止切欠部１０ｋを、遊技板１０の表面と裏面の中間よりも裏面側から形成し、第１の変形防止切欠部１０ｋを第２の変形切欠部１０ｍよりも大きく開放させることが好ましい。
【００３８】
（総括）
遊技板１０の上下方向の一端側又は遊技板１０の左右方向の一端側のみに、変形防止溝１０ｃや変形吸収凹部１０ｄ、変形防止切欠部１０ｇ、変形防止切欠部１０ｇ、第１の変形防止切欠部１０ｋ、第２の変形防止切欠部１０ｍを形成するだけで、遊技釘９９の下穴１０ａへの圧入による遊技板１０の変形を、吸収させることができる場合には、変形防止溝１０ｃや変形吸収凹部１０ｄ、変形防止切欠部１０ｇ、変形防止切欠部１０ｇ、第１の変形防止切欠部１０ｋ、第２の変形防止切欠部１０ｍを遊技板１０の上下方向の一端側又は遊技板１０の左右方向の一端側のみに形成することとしても差し支えない。また、遊技板１０の端部の一部のみに、変形防止溝１０ｃや変形吸収凹部１０ｄ、変形防止切欠部１０ｇ、変形防止切欠部１０ｇ、第１の変形防止切欠部１０ｋ、第２の変形防止切欠部１０ｍを形成するだけで、遊技釘９９の下穴１０ａへの圧入による遊技板１０の変形を、吸収させることができる場合には、変形防止溝１０ｃや変形吸収凹部１０ｄ、変形防止切欠部１０ｇ、変形防止切欠部１０ｇ、第１の変形防止切欠部１０ｋ、第２の変形防止切欠部１０ｍを、遊技板１０の端部の一部のみに形成することとしても差し支えない。
【００３９】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴うパチンコ遊技機もまた技術的範囲に包含されるものとして理解されなければならない。      
【符号の説明】
【００４０】
１０      遊技板
１０ａ    下穴
１０ｂ    当接部（第１の実施形態、第２の実施形態）
１０ｃ    変形防止溝
１０ｄ    変形防止凹部
１０ｅ    補強部
１０ｆ    当接部（第３の実施形態）
１０ｇ    変形防止切欠部（第３の実施形態）
１０ｈ    当接部（第４の実施形態）
１０ｉ    変形防止切欠部（第４の実施形態）
１０ｊ    当接部（第５の実施形態）
１０ｋ    第１の変形防止切欠部（第５の実施形態）
１０ｍ    第２の変形防止切欠部（第５の実施形態）
９９      遊技釘
１００    遊技盤
２００    外枠
２００ａ  ヒンジ部
３００    内枠
４００    前面枠
４０１    ガラス板
５００    パチンコ遊技機
【図１】
2010268897.tif 000003
【図２】
2010268897.tif 000004
【図３】
2010268897.tif 000005
【図４】
2010268897.tif 000006
【図５】
2010268897.tif 000007
【図６】
2010268897.tif 000008
【図７】
2010268897.tif 000009
【図８】
2010268897.tif 000010
【図９】
2010268897.tif 000011
【図１０】
2010268897.tif 000012